(57)【要約】【課題】バーの強度を充分に保ちながらバーの設置場所や季節等に応じて発電効率が最適となるよう太陽電池の向きを設定できる表示灯付きバーを提供する。【解決手段】バー（１）内に発光体（２ａ）を収納し、発光体（２ａ）の発する光をバー（１）外に透過させるようにした表示灯付きバーにおいて、バー（１）内に発光体（２ａ）を含む制御部（２）を固定し、バー（１）外に太陽電池部（３）をバー（１）の外周方向に回動自在に設ける。【選択図】図２
2008207773.tif 000002
【特許請求の範囲】
【請求項１】
バー内に発光体を収納し、前記発光体の発する光を前記バー外に透過させるようにした表示灯付きバーにおいて、前記バー内に前記発光体を含む制御部を固定し、前記バー外に太陽電池部を前記バーの円周方向に回動自在に設けたことを特徴とする表示灯付きバー。
【請求項２】
請求項１に記載の表示灯付きバーにおいて、前記太陽電池部の回動を固定する手段を設けたことを特徴とする表示灯付きバー。
【請求項３】
請求項１又は２に記載の表示灯付きバーにおいて、前記太陽電池部に防水処理を施したことを特徴とする表示灯付きバー。
【請求項４】
請求項１乃至３に記載の表示灯付きバーにおいて、太陽電池取付部が金属製であることを特徴とする表示灯付きバー。
【請求項５】
請求項１乃至４に記載の表示灯付きバーにおいて、前記バーが複数のユニットにより着脱自在に構成されており、前記複数のユニットのうち少なくとも一つは前記制御部及び前記太陽電池部が前記ユニットに組み込まれた表示灯付きバーユニットであることを特徴とする表示灯付きバー。
【発明の詳細な説明】
【技術分野】
【０００１】
本発明は表示灯付きバーに関するものである。
【背景技術】
【０００２】
遮断杆に発光ダイオードを取り付け、制御器箱に太陽電池、蓄電池等からなる電源、照度検出手段、遮断杆傾斜角検出手段、発光ダイオード点灯制御手段を備えた踏切遮断機の遮断杆表示装置が従来から知られている。（例えば、特許文献１参照）
【０００３】
又、遮断桿の筒体内に太陽電池ユニットと発光体からなる太陽電池式発光器体を収納し、発光体の発する光を筒体外に透過させるようにした太陽電池式発光表示器も踏切あるいは駐車場の遮断機等に使用されている。（例えば、特許文献２参照）
【０００４】
【特許文献１】実開平３−１２９５６１号公報
【特許文献２】実開平５−４６６４１号公報
【発明の開示】
【発明が解決しようとする課題】
【０００５】
ところで、特許文献１に記載の遮断杆表示装置では発光ダイオードが固定バンドで遮断杆の外周面に圧接して取付けられており、一方で制御基板、蓄電池を収めた制御器箱は取付金具を介してバーホルダーに取付けられており、更に太陽電池は制御器箱上に設けられている。
【０００６】
従って、上記特許文献１に記載の遮断杆表示装置では現場で遮断杆を組み立てた後に発光ダイオードと制御器箱を電気配線で連結する必要があった。更に、特許文献１に記載の遮断杆表示装置では太陽電池が制御器箱に固定されているため遮断杆の設置される向きや周囲の建物等障害物の状態によっては太陽光が太陽電池に充分照射されず発電量が不足するという問題があった。
【０００７】
又、特許文献２に記載の遮断桿は太陽電池と発光器体を透明ポリカーボネイト樹脂等により形成した筒体内に内蔵しており、しかも太陽電池と発光器体は筒体内にほぼ１８０度に相対する向きに取り付けられている。
【０００８】
ところで、特許文献２の発光体はその目的から遮断桿の作動降下時に車両、人等がその発光状態を視認可能な方向に向けて取り付けられている必要があり、従って、これにより太陽電池の筒体内での取り付け方向も特許文献２の図２に示す如く遮断桿をはさんで車両、人等がその発光状態を視認可能な方向のほぼ反対側に一義的に決定されることになる。
【０００９】
しかしながら、踏切あるいは駐車場の遮断機等が設置される場所の状態は個々に異なっており、踏切あるいは駐車場の遮断機等の設置される向きや周囲の建物等障害物の状態によっては太陽光が太陽電池に充分照射されず発電量が不足するという問題があった。又、太陽電池を遮断桿に内蔵しているため、遮断桿を透明な樹脂等により形成する必要があり、このため繊維で補強された樹脂等により形成された遮断桿と比べて強度が弱く、使用中に曲がり、折損の恐れがあり、強度を上げようとすると遮断桿が大きく重くなり製造コストの増大に加えて遮断桿の開閉に必要な動力も多く必要となる問題もあった。更に、遮断桿に太陽光が当たることにより遮断桿の内部温度が上昇し、このため太陽電池の発電効率が下がり、上記の、遮断桿の設置される向きや周囲の建物等障害物の状態によっては太陽光が太陽電池に充分照射されず発電量が不足するという問題に加えて、一層発電量が減少するという問題があった。
【００１０】
本発明は上記問題を解消し、バーの強度を充分に保ちながらバーの設置場所や季節等に応じて発電効率が最適となるよう太陽電池の向きを設定できる表示灯付きバーを提供することを目的とする。
【課題を解決するための手段】
【００１１】
上記課題を解決するため、請求項１に係る発明は、バー（１）内に発光体（２ａ）を収納し、発光体（２ａ）の発する光をバー（１）外に透過させるようにした表示灯付きバーにおいて、バー（１）内に発光体（２ａ）を含む制御部（２）を固定し、バー（１）外に太陽電池部（３）をバー（１）の円周方向に回動自在に設けたことを特徴とする表示灯付きバーを採用する。
【００１２】
又、請求項２に係る発明は、請求項１に記載の表示灯付きバーにおいて、太陽電池部（３）の回動を固定する手段（３ｆ）を設けたことを特徴とする表示灯付きバーを採用する。
【００１３】
又、請求項３に係る発明は、請求項１又は２に記載の表示灯付きバーにおいて、太陽電池部（３）に防水処理（３ｈ）を施したことを特徴とする表示灯付きバーを採用する。
【００１４】
又、請求項４に係る発明は、請求項１乃至３に記載の表示灯付きバーにおいて、太陽電池取付部（３ａ）が金属製であることを特徴とする表示灯付きバーを採用する。
【００１５】
又、請求項５に係る発明は、請求項１乃至４に記載の表示灯付きバーにおいて、バー（１）が複数のユニット（１ａ）により着脱自在に構成されており、複数のユニット（１ａ）のうち少なくとも一つは制御部（２）及び太陽電池部（３）がユニット（１ａ）に組み込まれた表示灯付きバーユニットであることを特徴とする表示灯付きバーを採用する。
【発明の効果】
【００１６】
請求項１に係る発明によれば、バー内に発光体を収納し、発光体の発する光をバー外に透過させるようにした表示灯付きバーにおいて、バー内に発光体を含む制御部を固定し、バー外に太陽電池部をバーの円周方向に回動自在に設けたので、バーの設置後、太陽電池部を回動させて太陽電池の向きを調整することによりバーの設置場所や季節等に応じて発電効率が最適となるよう太陽電池の向きを設定することができる。
【００１７】
請求項２に係る発明によれば、請求項１に記載の表示灯付きバーにおいて、太陽電池部の回動を固定する手段を設けたので、太陽電池の向きを調整した後、太陽電池部を固定することにより発電効率の良い状態を安定して保つことができる。
【００１８】
請求項３に係る発明によれば、請求項１又は２に記載の表示灯付きバーにおいて、太陽電池部に防水処理を施したので、太陽電池が雨水等により作動不良となるのを防止することができる。
【００１９】
請求項４に係る発明によれば、請求項１乃至３に記載の表示灯付きバーにおいて、太陽電池取付部が金属製であるので、太陽電池の放熱を良くすることにより太陽電池の発電効率の向上を図ることができる。
【００２０】
請求項５に係る発明によれば、請求項１乃至４に記載の表示灯付きバーにおいて、バーが複数のユニットにより着脱自在に構成されており、複数のユニットのうち少なくとも一つは制御部及び太陽電池部がユニットに組み込まれた表示灯付きバーユニットであるので、バーの組み立てを簡単に行なうことができ、必要に応じた発光システム数を選択できるとともにバーの重量を軽くすることができる。
【発明を実施するための最良の形態】
【００２１】
以下、図面を参照して発明を実施するための最良の形態について説明する。
【００２２】
図１は本発明の全体図を示すものである。図１に示すようにバー１は複数のユニット１ａで構成されており、各ユニットは制御部２を内蔵し、端部に太陽電池部３を備える。組み立てられたバー１は遮断機本体４に取り付けられる。遮断機本体４は回動軸５を備えており、回動軸５にバー１を取り付け、回動軸５の回動によりバー１を上下に作動させるよう構成されている。
【００２３】
図２はバー１のユニット１ａの正面図を示し、図３はユニット１ａのＡ−Ａ断面図を示す。ユニット１ａは一端に他のユニットとの接続のための差込用段差部１ｂを有しており、他端にはその内部に他のユニットとの接続のための差込用段差部１ｃを有している。ユニット１ａの遮断桿部１ｄはＦＲＰ等繊維で補強された樹脂等で形成されている。
【００２４】
ユニット１ａの他端には太陽電池部３が取り付けられており、太陽電池部３から取り出された電気配線６が差し込み孔７から制御部２に接続されている。差し込み孔７は電気配線６が差し込まれた後、液体パッキン等のシール材等で防水処理が施されるのが望ましいが、施されなくても良い。
【００２５】
図４はユニット１ａのＢ−Ｂ断面図を示す。ユニット１ａの他端に取り付けられた太陽電池部３には図４に示すように一部に切れ目を設けた円筒状のベース３ａが設けられており、その外周に一部に切れ目を設けた円筒状のスペーサ３ｂが重ね合わせて設けられている。スペーサ３ｂには更に太陽電池３ｃをはめ込む切り欠き部３ｄが設けられており、この切り欠き部３ｄに太陽電池３ｃをはめ込んで固定する。
【００２６】
なお、太陽電池３ｃは折り曲げ可能なフレキシブルタイプを用いており、円筒状のスペーサ３ｂにも問題なくはめ込むことができる。
【００２７】
スペーサ３ｂの外周には一部に切れ目を設けた円筒状のカバー３eが設けられている。このカバー３eは太陽電池３ｃを外部環境から保護するためのものであり、アクリル等の透明な樹脂であることが望ましいが半透明なものであってもよい。
【００２８】
カバー３eの両端には締め付けバンド３ｆが設けられており、締め付けバンド３ｆの締め付けねじ３ｇを締め付けることにより太陽電池部３をユニット１ａに固定することができる。
【００２９】
バー１を遮断機本体４に取り付けた後、締め付けバンド３ｆの締め付けねじ３ｇを緩め太陽電池部３を回動させて太陽電池３ｃの発電量が最大になるように調整した後、締め付けバンド３ｆの締め付けねじ３ｇを再び締め付けて太陽電池部３を固定し、その後液体パッキン等のシール材３ｈにより太陽電池部３に防水処理を施す。太陽電池部３をユニット１ａに固定する方法については、締め付けバンドの他、ワイヤー、結束バンド、接着剤等を用いることも可能である。又、防水処理の方法については、液体パッキンの他、防水用テープ等を用いても良い。
【００３０】
なお、ベース３ａは太陽電池３ｃの発電効率を良くするための放熱用としてアルミニウム、銅等の金属で形成されるが、放熱効果が期待されるものであればそれに特定されない。
【００３１】
ユニット１ａの内部には制御部２がネジ８及びナット９等の固定手段によりユニット１ａに取り付けられている。キャパシタ２ｃは太陽電池３ｃで発電された電力を蓄えるためのものであり、発光体２ａを遮断桿部１ｄの内周壁面に近づけるため基板２ｂにおいて発光体２ａの取付面と反対面に取り付けられているが、必ずしも反対面に取り付けられる必要はない。発光体２ａは例えばＬＥＤで構成されており、基板２ｂに取り付けられている。傾斜センサ２ｄは基板２ｂに取り付けられており、所定角度以上に傾けられると発光体に通電し、発光体を発光させるように作動する。
【００３２】
防水用カバー１０は遮断桿部１ｄの内部で制御部２の両側に設けられるが、なくても良い。又、防水用カバー１０に代えて制御部２を発光体２ａの部分を除き樹脂等で覆い、防水構造とすることも可能である。あるいは防水用カバー１０と前記樹脂等による防水構造を併用しても良い。
【００３３】
なお、実施例ではバー１をすべてのユニットが本発明による表示灯付きバーユニット１ａで構成される例を記載したが、例えば１〜２ユニットおきに発光装置を備えていないバーユニット（表示灯無しバーユニット）を組み合わせて構成することももちろん可能である。このような組合せにより、必要に応じた発光システム数を選択できるとともにバー１の重量を軽くすることができる。
【００３４】
図７は本発明の表示灯付きバーにおける表示灯付きバーユニットのブロック図の一例を示すものである。太陽電池３ｃで発電された電力は照度計測部３ｉで測定され、所定の発電量を境としてキャパシタ２ｃの充電と発光体２ａの発光の準備のいずれかの動作が選ばれる。発光体２ａの発光の準備状態で傾斜センサ２ｄが作動すると、キャパシタ２ｃに蓄えられた電力が傾斜センサ２ｄを介して発光体制御回路２ｅを作動させ発光体２ａが発光する。電源安定化部２ｆは照度計測部３ｉと発信回路３ｊからなるＩＣ３ｋの電源電圧を安定させるためのものである。
【００３５】
次に、上記構成の表示灯付きバーの作用について説明する。
【００３６】
図８は本発明の表示灯付きバーユニットの動作を示すフローチャートである。太陽電池３ｃが発電に充分な光を受けている状態では、太陽電池３ｃで発電された電力によりキャパシタ２ｃが充電される。（ステップ１）
【００３７】
周囲が暗くなり、太陽電池３ｃの発電量が所定の値以下になると制御部２はキャパシタ２ｃの充電を中止する。（ステップ２）
【００３８】
なお、本発明では太陽電池３ｃが照度センサを兼ねており、太陽電池３ｃが発電に充分な光を受けている状態であれば太陽電池３ｃにより発電された電力によりキャパシタ２ｃが充電される構成となっている。
【００３９】
ステップ２の条件下で遮断機本体４が作動し、バー１が垂直状態から回動下降を始め、所定角度以上に傾けられると傾斜センサ２ｄが作動し、キャパシタ２ｃに蓄えられた電力により発光体制御回路が作動して発光体を発光させる。（ステップ３）
【００４０】
遮断機本体４が作動し、バー１が再び回動上昇を始め、バー１の傾きが所定の角度よりも小さくなると傾斜センサ２ｄの作動が停止し、発光体制御回路が停止して発光体の発光が停止する。周囲が明るく太陽電池３ｃが発電に充分な光を受ける状態になると制御部２は発光体制御回路を停止するとともに太陽電池３ｃへの充電を開始する。
【００４１】
発光体は連続で発光しても良いが、点滅発光させる事によって、より視認性を高めることが出来ると同時に省電力化をはかることも出来る。
【００４２】
なお、発光体を含む制御部２は図３に示す如くユニット１ａに内蔵されるので、発光体が発光すると遮断桿部１ｄが光を拡散し発光範囲を広げて視認性を高めることが出来る。
【００４３】
又、図示しない制御回路により、キャパシタが放電してＬＥＤ等の発光に必要な電力を供給できなくなった場合には発光を中止させることも出来る。あるいは、図示しない別電源に自動的に切り替わり、発光を続けるようにしても良い。
【００４４】
以上本発明の好ましい実施例について説明したが、本発明はこの実施例に限定されるものではない。
【図面の簡単な説明】
【００４５】
【図１】本発明の表示灯付きバーの全体を示す図である。
【図２】本発明のユニットの正面図である。
【図３】本発明のユニットのＡ−Ａ断面図である。
【図４】本発明のユニットのＢ−Ｂ断面図である。
【図５】太陽電池の取り付け部分の一部拡大図である。
【図６】本発明のユニットのＣ−Ｃ断面図である。
【図７】本発明の表示灯付きバーにおける示灯付きバーユニットのブロック図の一例を示すものである。
【図８】本発明の表示灯付きバーユニットの動作を示すフローチャートである。
【符号の説明】
【００４６】
１    バー
１ａ  ユニット
１ｂ  差込用段差部
１ｃ  差込用段差部
１ｄ  遮断桿部
２    制御部
２ａ  発光体
２ｂ  基板
２ｃ  キャパシタ
２ｄ  傾斜センサ
２ｅ  発光体制御回路
２ｆ  電源安定化部
３    太陽電池部
３ａ  ベース
３ｂ  スペーサ
３ｃ  太陽電池
３ｄ  切り欠き部
３ｅ  カバー
３ｆ  締め付けバンド
３ｇ  締め付けねじ
３ｈ  シール材
３ｉ  照度計測部
３ｊ  発振回路
３ｋ  ＩＣ
４    遮断機本体
５    回動軸
６    電気配線
７    差し込み孔
８    ねじ
９    ナット
１０    防水用カバー
【図１】
2008207773.tif 000003
【図２】
2008207773.tif 000004
【図３】
2008207773.tif 000005
【図４】
2008207773.tif 000006
【図５】
2008207773.tif 000007
【図６】
2008207773.tif 000008
【図７】
2008207773.tif 000009
【図８】
2008207773.tif 000010